(57)【要約】      （修正有）【課題】柱に対する外力がアンカーボルトに集中することを可及的に回避し、総じて耐久的な接合装置を提供する。【解決手段】基礎コンクリート２に載置した土台１と、該土台１に設けた係合溝３に係合した接合金具Ａのベース４を、前記基礎コンクリート２に突設したアンカーボルト５とこれに螺合したナット６によって前記基礎コンクリート２に締付ける。そして、前記接合金具Ａの前記ベース４に立設して構成した接合部片１２ａと、前記係合溝３に係合して前記ベース４上に重ね合わせ、前記接合部片１２ａを嵌挿した柱９とを、止着杆１７で互いに止着する。【選択図】図１
2007186954.tif 000002
【特許請求の範囲】
【請求項１】
基礎コンクリートに載置した土台と、該土台に設けた係合溝に係合した接合金具のベースを、前記基礎コンクリートに突設したアンカーボルトとこれに螺合したナットによって前記基礎コンクリートに締付けると共に、前記ベースに接合部片を立設して構成した前記接合金具の接合部片と、前記係合溝に係合して前記ベース上に重ね合わせた前記接合部片を嵌入した柱を、止着杆で互いに止着した、柱と土台の接合装置。
【発明の詳細な説明】
【技術分野】
【０００１】
本発明は、木造建物に適用する柱と土台の接合装置に関するものである。
【背景技術】
【０００２】
基礎コンクリート上に載置した土台を通して前記基礎コンクリートからのアンカーボルトを、前記土台上に立設した柱に組付けた接合板に直接組付けるようにして前記土台と柱を接合するようにした構造のものは、例えば、特許文献１に示す通り公知である（例えば、特許文献１）。
【０００３】
【特許文献１】特開平８−１８４０６２号公報
【発明の開示】
【発明が解決しようとする課題】
【０００４】
前記従来構造のものは、柱の延長上位置に配したアンカーボルトを利用して柱と土台を基礎コンクリートに締付けるようにして接合するという意味合いでは強度的に優れた接合装置を構成するものであるが、柱に負荷される外力は、結局の処、アンカーボルトに集中し勝ちとなるため、耐久的に問題がある。
【０００５】
本発明は、従来例の斯様な欠点に着目し、柱に対する外力がアンカーボルトの集中することを可及的に回避し、総じて耐久的な接合装置を提供すべく創案したものである。
【課題を解決するための手段】
【０００６】
基礎コンクリートに載置した土台と、該土台に設けた係合溝に係合した接合金具のベースを、前記基礎コンクリートに突設したアンカーボルトとこれに螺合したナットによって前記基礎コンクリートに締付けると共に、前記ベースに接合部片を立設して構成した前記接合金具の接合部片と、前記係合溝に係合して前記ベース上に重ね合わせた前記接合部片を嵌入した柱を、止着杆で互いに止着した、構成とするのである。
【発明の効果】
【０００７】
本発明によれば、柱はその直下に存するアンカーボルトを利用して土台乃至基礎コンクリートに接合された構成を採るから、外力（揺れ）に対して堅牢な接合装置を提供でき、、なおまた、土台に設けた係合溝に柱の下部（ほぞと異なる）を係合したものであるから、尚一層強固な接合装置を提供できる。
【実施例】
【０００８】
図面は本発明に係る柱と土台の接合装置の一実施例を示し、図１は一部欠截正面図、図２は図１の一部欠截平面図、図３は接合金具の斜視図、図４は台座枠の斜視図である。
【０００９】
図中、１は基礎コンクリート２に載置した土台で、土台１は、その上面の適所に凹設した係合溝３を備え、該係合溝３に係合した接合金具Ａのベース４と共に前記基礎コンクリート２に突設したアンカーボルト５とこれに螺合したナット６によって締付けられ、前記基礎コンクリート２に止着してある。
【００１０】
前記係合溝３は、底壁面３ａと土台１の長手方向に相対する一対の側壁面３ｂ，３ｂとで成る方形状溝で成り、底壁面３ａ部の対角方向に並べて設けたボルト孔７，７に基礎コンクリート２側の前記アンカーボルト５を貫通させ、底壁面３ａより突出するボルト先端を前記ベース４に設けた透孔８を通じてベース４上に突出させ、これに前記の通りナット６を螺合締付け、ベース４を備えた接合金具Ａを介する柱９の、土台１との接合部を構成するものである。
【００１１】
アンカーボルト５とナット６によって土台１を介して基礎コンクリート２に締付けた前記ベース４は、係合溝３の前記底壁面３ａと平面視同形の方形状を成し、係合溝３に設けた前記ボルト孔７，７と対応するように前記アンカーボルト５貫通用の前記透孔８，８を設けたベース基板４ａの両側に支承部片４ｂ，４ｂを相対して構成したものである。
【００１２】
このベース４の支承部片４ｂは、ベース基板４ａより突出するアンカーボルト５の上端（先端）よりその上面（縁）が上方に位置する高さ幅を備え、支承部片４ｂ，４ｂ間をアンカーボルトの前記先端部とこれに螺合した前記ナット６の収納空間１１を構成するものである。
【００１３】
この収納空間１１を構成する支承部片４ｂを備えた前記ベース４のベース基板４ａには、その中央に平面視十字状にして配置した４枚の接合部片１２ａ，１２ａ，１２ａ，１２ａで成る接合枠１２を立設して前記接合金具Ａを構成し、該接合金具Ａの接合枠１２の前記各接合部片１２ａには、互いに直角方向の関係位置にある接合部片１２ａ，１２ａ同士間においては上下方向に位置をずらせ、互いに同一方向の関係位置にある接合部片１２ａ，１２ａ同士間においては同じ高さ位置に配する関係にして第二透孔１３を設けてある。
【００１４】
図中、１４は前記収納空間１１内に存するナット６等を套装する蓋枠で、蓋枠１４は両端を係合溝３に嵌合したベース４（接合金具Ａの）の支承部片４ｂ，４ｂ上に載置する水平部片１４ａと該水平部片１４ａの両端に相対設した脚部片１４ｂ，１４ｂとで構成すると共に、水平部片１４ａには、接合金具Ａの前記接合枠１２の、接合部片１２ａで成す平面視十字形とほぼ一致する十字状孔１５を設けて成るものである。
【００１５】
蓋枠１４は、係合溝３に嵌合して土台１乃至基礎コンクリート２に止着した接合金具Ａのベース４の、係合溝側壁面３ｂに重ね合わせた支承部片４ｂ，４ｂ間にその重ね合わせ方向と直交する方向に脚部片１４ｂ，１４ｂが相対するようにして係合し、しかも、十字状孔１５に前記接合枠１２を貫通させるようにして接合金具Ａに組付け、金具Ａのベース４の内側に係合した脚部片１４ｂ，１４ｂによって前記収納空間１１の見込み方向の開放端を閉塞したものである。すなわち、ナット６等を納めた収納空間１１は、その見付け方向はベース４の支承部片４ｂで、見込み方向は蓋枠１４の脚部片１４ｂで仕切りされ、土台１（係合溝３）の見付け方向は勿論見込み方向は套装され、ナット６等の露出を防止している。
【００１６】
接合金具Ａに十字状孔１５部において組付けた蓋枠１４の水平部片１４ａ上には、下端面を開口して設けた十字状のスリット１８に金具Ａの接合枠１２（平面視十字状の）を嵌合するようにして前記柱９を載置してその下端部を前記係合溝３に係合し、接合枠１２の接合部片１２ａに設けた各第二透孔１３と該第二透孔１３に一致するようにして柱９に設けた通し孔１６に止着杆１７を嵌挿して、柱９を接合金具Ａを介して土台１又は基礎コンクリート２に接合し、実施例装置としたものである。
【００１７】
接合片（接合枠）は実施例の構造に限る必要がないことは勿論であるが、実施例構成（十字状）を採ることにより、いずれの方向からの外力にも対応できる装置を提供できる。
【図面の簡単な説明】
【００１８】
【図１】一部欠截正面図。
【図２】図１の一部欠截平面図。
【図３】接合金具の斜視図。
【図４】台座枠の斜視図。
【符号の説明】
【００１９】
１      土台
２      基礎コンクリート
２ａ    接合部片
３      係合溝
４      ベース
５      アンカーボルト
６      ナット
９      柱
【図１】
2007186954.tif 000003
【図２】
2007186954.tif 000004
【図３】
2007186954.tif 000005
【図４】
2007186954.tif 000006